(57)【要約】【課題】作業部位の拾いデータを簡易に測定し、作業効率及び品質管理を向上する。【解決手段】本発明の拾いデータ処理システム１において、通信端末４は、作業対象画像５２について基準範囲６７及び６８及びこれらの基準値の入力を受け付ける基準値指定部３０と、作業対象画像５２について作業部位の測定範囲７１の選択を受け付け、選択された測定範囲７１の拾いデータを、基準範囲６７及び６８の画像上の寸法と基準値との比率に基づいて測定する寸法測定部３１とを備え、測定した拾いデータを、作業対象画像５２、基準範囲６７及び６８、基準値並びに測定範囲７１と共にサーバ２へと送信する。サーバ２は、通信端末４から送信された拾いデータ、作業対象画像５２、基準範囲６７及び６８、基準値並びに測定範囲７１を対応付けて記憶する拾いデータ記憶部１９を備える。【選択図】図１
2015026226.tif 000002
【特許請求の範囲】
【請求項１】
ネットワークに接続されたサーバと、
作業対象の画像を表示する表示部を有し、前記ネットワークを介して前記サーバと通信可能な通信端末と、を備え、
前記通信端末は、
前記表示部に表示された前記画像について、前記作業対象における基準範囲の指定、及び該基準範囲の基準値の入力を受け付ける基準値指定部と、
前記表示部に表示された前記画像について、前記作業対象における作業部位の測定範囲の選択を受け付け、選択された前記測定範囲の寸法及び面積を含む拾いデータを、前記基準範囲の前記画像上の寸法と前記基準値との比率に基づいて測定する寸法測定部と、
前記寸法測定部で測定した前記拾いデータを、前記画像、前記基準範囲、前記基準値及び前記測定範囲と共に前記サーバへと送信する拾いデータ送信部と、を備え、
前記サーバは、
前記通信端末から送信された前記画像、前記基準範囲、前記基準値、前記測定範囲及び前記拾いデータを対応付けて記憶する拾いデータ記憶部を備えることを特徴とする拾いデータ処理システム。
【請求項２】
前記通信端末は、被写界を撮像することで前記作業対象の画像を生成する撮像部と、
前記撮像部で撮像した画像について、前記作業対象において基準面とすべき四角形の指定を受け付け、前記四角形のあおりを補正する基準面指定部と、を備えることを特徴とする請求項１に記載の拾いデータ処理システム。
【請求項３】
前記通信端末の表示部は、タッチパネルを有して構成されることを特徴とする請求項１又は２に記載の拾いデータ処理システム。
【請求項４】
前記サーバは、前記通信端末からの要求に応じて、前記画像、前記基準範囲、前記基準値、前記測定範囲及び前記拾いデータを対応付けて表示したウェブページを前記通信端末に提供する拾いデータ提供部を備えることを特徴とする請求項１乃至３の何れか１項に記載の拾いデータ処理システム。
【請求項５】
前記サーバは、前記通信端末からの要求に応じて、前記画像、前記基準範囲、前記基準値、前記測定範囲及び前記拾いデータを対応付けて示す表計算ファイルを前記通信端末に出力する拾いデータ出力部を備えることを特徴とする請求項１乃至４の何れか１項に記載の拾いデータ処理システム。
【請求項６】
前記通信端末は、前記寸法測定部で選択された前記測定範囲についてタイトル、メモ情報及び線色を入力可能に構成され、
前記拾いデータ送信部は、前記拾いデータと共に、前記タイトル、前記メモ情報及び前記線色を前記サーバへと送信し、
前記拾いデータ記憶部は、前記拾いデータに対応付けて前記タイトル、前記メモ情報及び前記線色を記憶することを特徴とする請求項１乃至５の何れか１項に記載の拾いデータ処理システム。
【発明の詳細な説明】
【技術分野】
【０００１】
本発明は、建築物等の作業対象における作業部位の拾いデータを取得する拾いデータ処理システムに関する。
【背景技術】
【０００２】
建築物や建築現場等の作業対象における防水設備等の工事作業においては、窓や床等の作業部位の寸法や面積に基づいて作業に必要な建築資材の量を予め見積り及び発注しておき、実際の作業時に適切な量の建築資材を調達することにより、前もって工事作業の予算及び工数の見積りをして効率良く工事作業を進めることが可能となる。
【０００３】
そこで、従来では、ＣＡＤを備えたコンピュータ等の設計装置を利用して、作業対象の図面から作業部位の寸法や面積等の拾いデータを取得する拾いデータ処理が知られている。
【０００４】
例えば、特許文献１に記載の外装建材積算システムは、建物の平面図を読み込むとともに少なくとも外壁を含む所定の部位とその平面座標と高さとを指定する入力手段と、前記入力手段によって入力された入力データから前記建物の３次元外形図を生成する３次元処理部と、前記３次元外形図の３次元座標から建物の各部分の面積、長さ又は周長の少なくとも一つを算出する計測処理部と、前記計測処理部によって算出された計測値と各部材の積算に使用する計測値の種類と単価が記憶された部材登録データとから各部材の積算値を算出する積算処理部と、前記積算値を出力する出力手段とを備えて構成されている。
【先行技術文献】
【特許文献】
【０００５】
【特許文献１】特開２００７−０８００１３号公報
【発明の概要】
【発明が解決しようとする課題】
【０００６】
しかしながら、実際の建築物や建築現場等の作業対象は、実情に見合った作業を進めるために作業部位の寸法や面積が適宜調整されるので、図面に記載された寸法や面積と違いが生じていることが多い。そのため、作業対象の現地で実際の作業部位の寸法や面積を全て測定し、図面に書き込む事前作業が必要となり、建築物や建築現場では測定対象の作業部位が大きかったり、測定し難い場所にあることが多く、事前作業の手間や工数が膨大となり、測定ミスが生じることもある。
【０００７】
また、ＣＡＤを備えたコンピュータ等の設計装置の操作には、専門的な技術が必要であり、上記の事前作業を行うために専門的な知識を要する作業者や管理者の労力が必要となって人件費が増加してしまう。
【０００８】
更に、工事作業の予算及び工数の見積り、並びに建築資材の発注は、作業対象の現地ではなく、拾いデータ処理の可能なコンピュータを備えた会社で行われるため、上記のように事前作業に時間が掛かることで、見積りや発注が遅れて建築資材の調達が遅れ、作業効率が悪化することとなる。
【０００９】
また、見積りや発注等の事前作業は、現地作業者が現地で事前確認を記入した図面等の書類に基づいて、会社における事務作業者がコンピュータ操作をして行われることが多い。このときに、書類の見落としや多重管理が生じると、見積りや発注に間違いが生じて、例えば、資材を適切に管理できなくなり、作業効率が悪化することになる。上記したような作業効率の悪化は、工事作業の品質管理の低下を招くことになる。
【００１０】
更に、建築物や建築現場等における工事作業では、作業者が、作業対象の現地において作業の進捗状況を図面の対応箇所に書き込んでおき、その後、会社に戻って図面から書き起こして業務日報を作成することが一般的となっている。しかしながら、作業規模の増加に応じて図面は大量となるため、大量の図面を管理して進捗状況を確認することは困難であり、例えば、現地において進捗状況を瞬時に確認することができず、また、進捗状況を直感的に判断することができない。更に、図面からの書き起こしによる業務日報の作成は非効率であり、日報管理の効率も低下し、作業者は、大量の図面に基づく業務日報の作成のために、事務作業に時間をかけると、作業効率が低下することになる。上記したような作業効率の悪化も、工事作業の品質管理の低下を招くことになる。
【００１１】
そこで、本発明は上記事情を考慮し、作業部位の拾いデータを簡易に測定し、作業効率及び品質管理を向上することを目的とする。
【課題を解決するための手段】
【００１２】
本発明の拾いデータ処理システムは、ネットワークに接続されたサーバと、作業対象の画像を表示する表示部を有し、前記ネットワークを介して前記サーバと通信可能な通信端末と、を備える。前記通信端末は、前記表示部に表示された前記画像について、前記作業対象における基準範囲の指定、及び該基準範囲の基準値の入力を受け付ける基準値指定部と、前記表示部に表示された前記画像について、前記作業対象における作業部位の測定範囲の選択を受け付け、選択された前記測定範囲の寸法及び面積を含む拾いデータを、前記基準範囲の前記画像上の寸法と前記基準値との比率に基づいて測定する寸法測定部と、前記寸法測定部で測定した前記拾いデータを、前記画像、前記基準範囲、前記基準値及び前記測定範囲と共に前記サーバへと送信する拾いデータ送信部と、を備える。前記サーバは、前記通信端末から送信された前記画像、前記基準範囲、前記基準値、前記測定範囲及び前記拾いデータを対応付けて記憶する拾いデータ記憶部を備える。
【００１３】
このような構成を採用することで、作業者は、通信端末を用いた簡易な手法によって、作業対象となる画像の基準範囲と基準値とを測定すれば、作業部位の大きさや位置に拘らず、作業部位の測定範囲の拾いデータを測定することができ、測定ミスを防ぐこともできる。また、通信端末で測定した拾いデータを、サーバを介して共有することができ、また、他の通信端末やサーバにおいて、作業対象の画像における測定範囲を再現することが可能となる。更に、測定した拾いデータを即座にサーバで共有化できるため、工事作業の予算及び工数の見積り、並びに建築資材の発注等の事前作業を行う会社や事業所が、作業対象の現地から遠隔にある場合でも、これらの事前作業を早期に行うことができ、建築資材の調達を円滑化し、作業効率及び品質管理を向上することができる。
【００１４】
前記通信端末は、被写界を撮像することで前記作業対象の画像を生成する撮像部と、前記撮像部で撮像した画像について、前記作業対象において基準面とすべき四角形の指定を受け付け、前記四角形のあおりを補正する基準面指定部と、を備えるとよい。
【００１５】
このような構成を採用することで、実際の建築物や建築現場等の作業対象と違いのある図面に依存することなく、簡易な手法によって作業部位の拾いデータを取得することが可能となる。
【００１６】
前記通信端末の表示部は、タッチパネルを有して構成されるとよい。
【００１７】
このような構成を採用することで、作業部位の測定範囲の選択や拾いデータの測定を、タッチパネルの操作という簡易な手法で行うことができるため、作業対象の現地の作業者の手間を軽減することができる。
【００１８】
前記サーバは、前記通信端末からの要求に応じて、前記画像、前記基準範囲、前記基準値、前記測定範囲及び前記拾いデータを対応付けて表示したウェブページを前記通信端末に提供する拾いデータ提供部を備えるとよい。
【００１９】
また、前記サーバは、前記通信端末からの要求に応じて、前記画像、前記基準範囲、前記基準値、前記測定範囲及び前記拾いデータを対応付けて示す表計算ファイルを前記通信端末に出力する拾いデータ出力部を備えるとよい。
【００２０】
これらのような構成を採用することで、作業者は通信端末を用いることによってサーバで共有化された拾いデータを閲覧することができる。
【００２１】
前記通信端末は、前記寸法測定部で選択された前記測定範囲についてタイトル、メモ情報及び線色を入力可能に構成され、前記拾いデータ送信部は、前記拾いデータと共に、前記タイトル、前記メモ情報及び前記線色を前記サーバへと送信し、前記拾いデータ記憶部は、前記拾いデータに対応付けて前記タイトル、前記メモ情報及び前記線色を記憶するとよい。
【発明の効果】
【００２２】
本発明によれば、作業部位の拾いデータを簡易に測定し、作業効率及び品質管理を向上することが可能となる。
【図面の簡単な説明】
【００２３】
【図１】本発明の一実施形態に係る拾いデータ処理システムの概略を示すブロック図である。
【図２】本発明の一実施形態に係る拾いデータ処理のサーバにおける拾いデータ記憶部を概略的に示す模式図である。
【図３】本発明の一実施形態に係る拾いデータ処理のサーバで表示される通信端末リストを概略的に示す模式図である。
【図４】本発明の一実施形態に係る拾いデータ処理システムの通信端末で案件リストを表示した状態を概略的に示す模式図である。
【図５】本発明の一実施形態に係る拾いデータ処理システムの通信端末で画像選択画面を表示した状態を概略的に示す模式図である。
【図６】本発明の一実施形態に係る拾いデータ処理システムの通信端末で拾いデータ測定画面を表示した状態を概略的に示す模式図である。
【図７】本発明の一実施形態に係る拾いデータ処理システムの通信端末で拾いデータ測定画面を表示した際に基準面を指定する状態を概略的に示す模式図である。
【図８】本発明の一実施形態に係る拾いデータ処理システムの通信端末で拾いデータ測定画面を表示した際に基準値を指定する状態を概略的に示す模式図である。
【図９】本発明の一実施形態に係る拾いデータ処理システムの通信端末で拾いデータ測定画面を表示した際に測定範囲を選択する状態を概略的に示す模式図である。
【図１０】本発明の一実施形態に係る拾いデータ処理システムにおいて、通信端末で拾いデータ処理アプリケーションが使用される動作を示すフローチャートである。
【図１１】本発明の一実施形態に係る拾いデータ処理システムにおいて、通信端末のサーバに対するログイン動作を示すフローチャートである。
【図１２】本発明の一実施形態に係る拾いデータ処理システムにおいて、通信端末で案件を選択する動作を示すフローチャートである。
【図１３】本発明の一実施形態に係る拾いデータ処理システムにおいて、通信端末で作業対象画像を選択する動作を示すフローチャートである。
【発明を実施するための形態】
【００２４】
まず、図１を参照しながら、拾いデータ処理システム１の全体の構成について説明する。
【００２５】
図１に示されるように、拾いデータ処理システム１は、サーバ２がインターネット等のネットワーク３に接続され、例えば、クラウドコンピューティング環境上に配置されていて、タブレット端末や携帯電話端末等の通信端末４がネットワーク３を介してサーバ２と通信可能に構成されている。本実施形態では、１つの通信端末４を例示しているが、拾いデータ処理システム１は、複数の通信端末４を備えていてよい。
【００２６】
サーバ２は、制御部１１、記憶部１２及び通信部１３を備え、また、通信端末リスト表示部１４、通信端末認証部１５、拾いデータ登録部１６、拾いデータ提供部１７及び拾いデータ出力部１８を有して構成される。なお、通信端末リスト表示部１４、通信端末認証部１５、拾いデータ登録部１６、拾いデータ提供部１７及び拾いデータ出力部１８は、例えば、記憶部１２に記憶されていて制御部１１によって制御されることで動作するプログラムで構成されてもよい。
【００２７】
制御部１１は、ＣＰＵ（Ｃｅｎｔｒａｌ  Ｐｒｏｃｅｓｓｉｎｇ  Ｕｎｉｔ）等を有してサーバ２の全体の動作を統括して制御するように構成される。
【００２８】
記憶部１２は、ＲＡＭ（Ｒａｎｄｏｍ  Ａｃｃｅｓｓ  Ｍｅｍｏｒｙ）等のメモリやハードディスク等の記録媒体を有して、制御部１１で制御される情報やデータを記憶するように構成される。記憶部１２は、例えば、拾いデータ処理システム１に登録しているユーザを識別するユーザＩＤと、及びユーザＩＤ毎に固有のパスワードとを対応付けて記憶するユーザリスト（図示せず）を有する。また、記憶部１２は、通信端末４から受信した拾いデータを記憶する拾いデータ記憶部１９を備える。
【００２９】
拾いデータ記憶部１９は、建築物や建築現場等の作業対象を案件として１つ以上の案件に関するデータ（以下、案件データと称する）を記憶し、各案件データには、作業対象を示す１つ以上の作業対象画像を対応付けて記憶し、また、その案件データの閲覧又は編集を許可すべきユーザのユーザＩＤを対応付けて記憶する。また、拾いデータ記憶部１９は、案件データの各作業対象画像に対応付けて、その作業対象において寸法測定対象となる作業窓や作業床等の部分的な作業部位に関する拾いデータを記憶する。
【００３０】
例えば、拾いデータ記憶部１９は、図２に示されるように、拾いデータとして、作業部位を識別する識別番号、作業部位を示すタイトル、作業部位の測定範囲の面積及び周長、測定範囲を構成する直線、曲線、円弧、矩形及び円等の各部の図形種類及び座標データ（例えば、左位置、上位置、幅及び高さや、円弧又は円の曲率等）、作業部位の進捗状況等を示すメモ情報、測定範囲の線色を記憶する。
【００３１】
通信部１３は、有線又は無線によりサーバ２をネットワーク３と接続してネットワーク３を介した通信信号の送受信を行うインタフェースである。通信部１３は、例えば、通信端末４からネットワーク３を介して送信されたログイン要求や拾いデータを受信し、また、拾いデータ記憶部１９に記憶された案件リスト用データや案件データをネットワーク３を介して通信端末４へと送信する。
【００３２】
通信端末リスト表示部１４は、拾いデータ処理システム１に登録している通信端末４に関するデータをサーバ２のディスプレイ等の表示器に表示するもので、例えば、ユーザの操作に応じて起動するアプリケーションで構成される。通信端末リスト表示部１４は、例えば、図３に示される表形式の通信端末リストにおいて、通信端末４を識別する登録番号と、通信端末４の製品名と、通信端末４の管理ＩＤと、通信端末４の型式や電話番号等の形式とを表示する。また、通信端末リスト表示部１４は、通信端末リストにおいて通信端末４毎に選択ボタンを設け、この選択ボタンの押下に応じて通信端末４に対応する案件のリストを表示する。
【００３３】
なお、通信端末リスト表示部１４により案件リストに表示されるデータは、全ての案件データではなく、後述する通信端末４の案件リスト表示部２７により表示部２３に表示される案件リスト画面４１（図４参照）と同様のデータであって、例えば、各案件を識別するのに必要な案件の代表画像、案件名及びサーバ２への登録日等の案件リスト用データである。
【００３４】
通信端末認証部１５は、通信端末４からログイン要求を受けた際に、記憶部１２に記憶されているユーザリストを参照して、ログイン要求に含まれるユーザＩＤ及びパスワードが正当か否かを判定する。そして、通信端末認証部１５は、ユーザＩＤ及びパスワードが正当であれば、そのユーザＩＤに対応する案件データを拾いデータ記憶部１９から取得して案件リスト用データを通信端末４に送信し、不当であればエラーを通信端末４に通知する。
【００３５】
拾いデータ登録部１６は、通信端末４から受信した拾いデータを記憶部１２の拾いデータ記憶部１９に登録する。例えば、拾いデータ登録部１６は、受信した拾いデータに対応する案件データが拾いデータ記憶部１９にあればその案件データに対して拾いデータを登録し、対応する案件データがなければ新規の案件データを作成して拾いデータ記憶部１９に記憶する。
【００３６】
また、拾いデータ登録部１６は、対応する案件データが拾いデータ記憶部１９にあった場合において、受信した拾いデータに対応する作業対象画像が拾いデータ記憶部１９にあればその作業対象画像に対して拾いデータを登録し、対応する作業対象画像がなければ新規の作業対象画像を拾いデータ記憶部１９に記憶する。
【００３７】
更に、拾いデータ登録部１６は、対応する作業対象画像が拾いデータ記憶部１９にあった場合において、受信した拾いデータに対応する拾いデータが既に拾いデータ記憶部１９にあれば受信した拾いデータを上書きして記憶し、対応する拾いデータがなければ新規の拾いデータとして拾いデータ記憶部１９に記憶する。
【００３８】
また、拾いデータ登録部１６は、案件データの作業対象画像のうち、最初の画像又はユーザに指定された画像を縮小した代表画像を作成して拾いデータ記憶部１９に記憶し、通信端末４から拾いデータを受信して案件データとして登録した日を登録日として拾いデータ記憶部１９に記憶する。
【００３９】
拾いデータ提供部１７は、サーバ２、通信端末４及び他のコンピュータに備わるブラウザで表示されるウェブページ上で拾いデータを提供する。例えば、拾いデータ提供部１７は、ウェブページとしてユーザＩＤ及びパスワードの入力を促すログインページを有し、このログインページにユーザＩＤ及びパスワードが入力されると、上記通信端末認証部１５によってユーザＩＤ及びパスワードが正当か否かが判定される。拾いデータ提供部１７は、ログインページに入力されたユーザＩＤ及びパスワードが正当であれば、そのユーザＩＤに対応する案件のリストをウェブページで閲覧可能にし、不当であればエラーを示すウェブページを閲覧させる。
【００４０】
拾いデータ出力部１８は、拾いデータに基づいて表計算ソフトウェアで参照可能な形式の表計算ファイルを生成して出力する。例えば、拾いデータ出力部１８は、上記通信端末認証部１５によってユーザＩＤ及びパスワードが正当と判定された通信端末４より、案件及び作業対象画像を指定されて拾いデータのダウンロード要求等の出力要求があった場合に、その拾いデータの表計算ファイルを通信端末４へと送信する。
【００４１】
通信端末４は、制御部２１、記憶部２２、表示部２３、撮像部２４及び通信部（拾いデータ送信部）２５を備え、また、ログイン処理部２６、案件リスト表示部２７、作業対象画像表示部２８、基準面指定部２９、基準値指定部３０、寸法測定部３１及び拾いデータ保存部３２を有して構成される。なお、ログイン処理部２６、案件リスト表示部２７、作業対象画像表示部２８、基準面指定部２９、基準値指定部３０、寸法測定部３１及び拾いデータ保存部３２は、例えば、記憶部１２に記憶されていて制御部１１によって制御されることで動作するプログラムで１つの拾いデータ処理アプリケーションとして構成され、この拾いデータ処理アプリケーションは、拾いデータ処理システム１に登録したユーザに提供されて通信端末４にインストールされる。
【００４２】
制御部２１は、ＣＰＵ等を有して通信端末４の全体の動作を統括して制御するように構成される。
【００４３】
記憶部２２は、ＲＡＭ等のメモリやハードディスク等の記録媒体を有して制御部２１で制御される情報やデータを記憶するように構成される。記憶部２２は、例えば、上記の拾いデータ処理アプリケーションや、撮像部２４で撮像した画像データ等を記憶する。
【００４４】
表示部２３は、通信端末４の操作を受け付けるタッチパネルを有する表示器であり、このタッチパネルは、ユーザの指やタッチペン等によるタッチ操作、ドラッグ操作、フリック操作等の各種操作を受付可能に構成される。
【００４５】
撮像部２４は、ＣＣＤ等の撮像素子でよく、例えば、通信端末４の背面に設けられ、表示部２３のタッチパネルの操作に応じて被写界を撮像して画像データを生成する。
【００４６】
通信部２５は、無線により通信端末４をネットワーク３と接続してネットワーク３を介した通信信号の送受信を行うインタフェースである。通信部２３は、例えば、ログイン要求や拾いデータをネットワーク３を介してサーバ２へと送信し、また、サーバ２からネットワーク３を介して送信された案件リスト用データや案件データを受信する。
【００４７】
ログイン処理部２６は、通信端末４で上記の拾いデータ処理アプリケーションが起動する際にユーザＩＤ及びパスワードの入力を促すログイン画面を表示部２３に表示する。ログイン処理部２６は、例えば、ログイン画面にログイン実行ボタンを備えて、このログイン実行ボタンが押下されると、入力されたユーザＩＤ及びパスワードと共にログイン要求をサーバ２へと送信する。
【００４８】
案件リスト表示部２７は、サーバ２から送信された案件リスト用データに基づく案件リスト画面４１を表示部２３に表示するもので、案件リスト画面４１には、例えば、図４に示されるように、案件４２毎に、代表画像４３、案件名４４及びサーバ２への登録日４５がリスト表示される。
【００４９】
案件リスト画面４１では、所望の案件４２を上記タッチパネルのタッチ操作で選択可能になっていて、案件リスト表示部２７は、案件４２が選択されると、その案件４２を識別する案件名等の案件識別情報をサーバ２へと送信する。また、案件リスト画面４１は、案件データを新規に作成するための新規案件ボタン４６と、運用環境やシステム環境等の設定を行うための設定ボタン４７とを備える。
【００５０】
作業対象画像表示部２８は、サーバ２から送信された案件データ、又は案件リスト表示部２７で新規作成された案件データについて、図５に示されるように、この案件データが有する作業対象画像５２を縮小して所定数毎に示す画像選択画面５１を表示部２３に表示する。
【００５１】
画像選択画面５１では、所望の作業対象画像５２を上記タッチパネルのタッチ操作で選択可能になっていて、作業対象画像表示部２８は、作業対象画像５２が選択されると、図６に示されるように、その作業対象画像５２についての拾いデータ測定画面６１を表示部２３に表示する。また、画像選択画面５１は、作業対象画像５２を撮像して追加するための画像追加ボタン５３と、通信端末４に記憶されている画像データを作業対象画像５２として読み込むための画像読込ボタン５４と、案件を削除するための案件削除ボタン５５とを備える。例えば、画像追加ボタン５３が押下されると撮像部２４が起動して被写界を撮像可能な状態となり、撮像部２４で撮像された画像データを記憶部２２に記憶すると共に作業対象画像５２として画像選択画面５１に追加する。
【００５２】
拾いデータ測定画面６１は、図６に示されるように、選択された作業対象画像５２を表示部２３の下部以外の全体に表示する。また、拾いデータ測定画面６１は、作業対象画像５２のあおり補正を行うための基準面指定ボタン６２と、作業対象の寸法測定の基準値を決定するための基準値指定ボタン６３と、作業対象の寸法測定を実行するための測定ボタン６４と、測定結果を保存するための保存ボタン６５とを備える。例えば、基準面指定ボタン６２が押下されると基準面指定部２９が動作し、基準値指定ボタン６３が押下されると基準値指定部３０が動作し、測定ボタン６４が押下されると寸法測定部３１が動作し、保存ボタン６５が押下されると拾いデータ保存部３２が動作する。なお、測定ボタン６４は、基準面指定部２９及び基準値指定部３０によって基準面及び基準値が指定されるまでは押下不可能であり、保存ボタン６５は、寸法測定部３１によって１つ以上の測定範囲が選択されるまでは押下不可能である。
【００５３】
基準面指定部２９は、拾いデータ測定画面６１において上記タッチパネルのタッチ操作により作業対象画像５２上で基準面を構成する４点６６を指定可能にする。基準面指定部２９は、図７に示されるように、指定された各点６６の位置で基準面マークを拾いデータ測定画面６１に表示し、基準面マークは、例えば白丸で示される。そして、基準面指定部２９は、作業対象画像５２について、指定された４点６６を結ぶ四角形のあおりを補正し、例えば、この四角形が４つの９０度の内角を有する基準面となるようにし、四角形の各辺のうち垂直に近い２辺を垂直にすると共に他の２辺を水平にするようにあおり補正する。また、基準面指定部２９は、指定済みの各点６６を基準面マークのタッチ操作によって編集可能にし、各点６６が編集されたときに作業対象画像５２について再度あおり補正を行う。
【００５４】
基準値指定部３０は、拾いデータ測定画面６１において上記タッチパネルのタッチ操作により作業対象画像５２上の寸法基準範囲として縦基準範囲６７及び横基準範囲６８の指定を受け付ける。基準値指定部３０は、図８に示されるように、指定された縦基準範囲６７及び横基準範囲６８の位置で基準範囲マークを拾いデータ測定画面６１に表示し、基準範囲マークは、例えば始点及び終点における白丸と、白丸間を結ぶ太線の線分とで示される。また、基準値指定部３０は、縦基準範囲６７や横基準範囲６８が指定された際に、作業対象におけるこれらの範囲の実際の寸法である縦基準値や横基準値等の基準値を入力可能にする基準値入力画面６９及び７０を拾いデータ測定画面６１に表示する。更に、基準値指定部３０は、基準値入力画面６９及び７０に入力された縦基準範囲６７の縦基準値及び横基準範囲６８の横基準値を、縦基準範囲６７及び横基準範囲６８の作業対象画像５２上の座標（例えば、左位置、上位置、幅及び高さ）と共に記憶部２２に記憶する。また、基準値指定部３０は、指定済みの縦基準範囲６７及び横基準範囲６８を基準範囲マークのタッチ操作によって編集可能にし、縦基準範囲６７及び横基準範囲６８が編集されたときに基準値入力画面６９及び７０を拾いデータ測定画面６１に表示して縦基準値や横基準値を編集可能にする。
【００５５】
寸法測定部３１は、拾いデータ測定画面６１において上記タッチパネルのタッチ操作により作業対象画像５２上の１つ以上の所望の作業部位を直線、曲線、円弧、矩形及び円等で構成される測定範囲７１の選択を受け付ける。寸法測定部３１は、図９に示されるように、選択された測定範囲７１の位置で測定範囲マークを拾いデータ測定画面６１に表示し、測定範囲マークは、例えば各頂点における白丸と、頂点間を結ぶ太線の線分とで示される。また、寸法測定部３１は、測定範囲７１が選択された際に、縦基準範囲６７及び横基準範囲６８の作業対象画像５２上の寸法と縦基準値及び横基準値との比率に基づいて、測定範囲７１の寸法及び面積を含む拾いデータを測定し、その拾いデータを記憶部２２に一時記憶すると共に、その拾いデータを示す測定結果画面７２を拾いデータ測定画面６１に表示する。
【００５６】
測定結果画面７２では、測定範囲７１（作業部位）のタイトル７３、測定の日付７４、測定範囲７１に関するメモ情報７５や測定範囲マークの線色が入力可能になっている。測定範囲マークの線色は、例えば、線色選択バー７６に示される複数の色から選択可能であって、選択された色がタイトル７３の背景色となるようにしてもよい。
【００５７】
また、寸法測定部３１は、選択済みの測定範囲７１を測定範囲マークのタッチ操作によって編集可能にし、測定範囲７１が編集されたときに拾いデータを再度測定し、測定結果画面７２を拾いデータ測定画面６１に表示してタイトル７３、メモ情報７５や線色を編集可能にする。
【００５８】
拾いデータ保存部３２は、寸法測定部３１による測定結果の拾いデータを格納するファイルを作成して記憶部２２に記憶する。また、拾いデータ保存部３２は、寸法測定部３１による測定結果の拾いデータを、作業対象画像５２、基準値指定部３０で指定された基準範囲を特定可能な座標データ及び基準値、寸法測定部３１で選択された測定範囲７１を特定可能な座標データ、並びに測定結果画面７２で入力された測定範囲７１のタイトル７３、メモ情報７５及び線色と共にサーバ２へと送信する。
【００５９】
次に、このような構成を備えた拾いデータ処理システム１において、通信端末４で拾いデータ処理アプリケーションが使用される動作について、図１０〜図１３を参照して説明する。
【００６０】
この拾いデータ処理システム１では、拾いデータ処理アプリケーションがインストールされた通信端末４について、通信端末４を識別するユーザＩＤ及びパスワード、並びにその他の通信端末４に係る情報を、サーバ２における記憶部１２のユーザリスト等に予め記憶している。
【００６１】
図１０に示されるように、先ず、ユーザが通信端末４の表示部２３のタッチパネルを操作して拾いデータ処理アプリケーションを起動させると（ステップＳ１）、ログイン処理部２６が動作してログイン処理（ステップＳ２）に移行して表示部２３にログイン画面を表示させる。
【００６２】
ログイン処理（ステップＳ２）では、図１１に示されるように、ユーザによってログイン画面にユーザＩＤ及びパスワードが入力されてログイン実行ボタンが押下されると、ログイン処理部２６は入力されたユーザＩＤ及びパスワードを有するログイン要求をサーバ２へと送信する（ステップＳ２１）。
【００６３】
サーバ２では、通信部１３が通信端末４からのログイン要求を受信し、通信端末認証部１５が記憶部１２のユーザリストを参照して、ログイン要求に含まれるユーザＩＤ及びパスワードが正当か否かを判定する（ステップＳ２２）。
【００６４】
そして、ユーザＩＤ及びパスワードが正当である場合（ステップＳ２２：ＹＥＳ）、そのユーザＩＤに対応する案件データを記憶部１２の拾いデータ記憶部１９から取得して案件リスト用データを作成し、通信端末４へと送信する（ステップＳ２３）。
【００６５】
他方、ユーザＩＤ及びパスワードが不当である場合（ステップＳ２２：ＮＯ）、エラーを通信端末４へと通知する（ステップＳ２４）。
【００６６】
次に、通信端末４では、ログイン処理（ステップＳ２）でサーバ２からエラーが通知された場合には、表示部２３にエラー表示をしたり、アプリケーションを終了したりするが、サーバ２から案件リスト用データを受信した場合には、案件リスト表示部２７が動作して案件選択処理（図１０、ステップＳ３）に移行する。
【００６７】
案件選択処理（ステップＳ３）では、案件リスト表示部２７が、受信した案件リスト用データに基づいて、図４に示されるように、案件４２毎に代表画像４３、案件名４４及びサーバ２への登録日４５を示す案件リスト画面４１を表示部２３に表示し、案件選択の待機状態となる。
【００６８】
そして、図１２に示されるように、ユーザが案件リスト画面４１から所望の案件４２を選択すると（ステップＳ３１：ＹＥＳ）、案件リスト表示部２７は、その案件４２を識別する案件名等の案件識別情報をサーバ２へと送信する。サーバ２では、その案件識別情報に対応する案件データを記憶部１２の拾いデータ記憶部１９から取得して通信端末４へと送信する（ステップＳ３２）。
【００６９】
他方、ユーザが案件リスト画面４１から案件４２を選択していない場合であって（ステップＳ３１：ＮＯ）、ユーザが案件リスト画面４１の新規案件ボタン４６を押下した場合（ステップＳ３２：ＹＥＳ）、案件リスト表示部２７は、案件データを新規に作成する。
【００７０】
次に、通信端末４では、案件選択処理（ステップＳ３）でサーバ２から案件データを受信した場合、又は案件リスト表示部２７が案件データを新規に作成した場合に、作業対象画像表示部２８が動作して画像選択処理（図１０、ステップＳ４）に移行する。
【００７１】
画像選択処理（ステップＳ４）では、作業対象画像表示部２８が、案件データに基づいて、図５に示されるように、案件データが有する作業対象画像５２を示す画像選択画面５１を表示部２３に表示し、画像選択の待機状態となる。なお、案件データが新規作成された場合には、作業対象画像５２は表示されない。
【００７２】
そして、図１３に示されるように、ユーザが画像選択画面５１から所望の作業対象画像５２を選択すると（ステップＳ４１：ＹＥＳ）、作業対象画像表示部２８は、図６に示されるように、その作業対象画像５２についての拾いデータ測定画面６１を表示部２３に表示する（ステップＳ４２）。
【００７３】
他方、ユーザが画像選択画面５１の画像追加ボタン５３を押下した場合（ステップＳ４３：ＹＥＳ）、撮像部２４が起動して被写界を撮像可能な状態となり、撮像部２４で撮像された画像データが作業対象画像５２として画像選択画面５１に追加される（ステップＳ４４）。そして、画像選択の待機状態に戻る（ステップＳ４１）。
【００７４】
あるいは、ユーザが画像選択画面５１の画像読込ボタン５４を押下した場合（ステップＳ４５：ＹＥＳ）、例えば、ファイル選択画面が開いて通信端末４に予め記憶していた画像データのファイルを読込可能になる（ステップＳ４６）。読み込んだ画像データは作業対象画像５２として画像選択画面５１に追加され、その後、画像選択の待機状態に戻る（ステップＳ４１）。
【００７５】
又は、ユーザが画像選択画面５１の案件削除ボタン５５を押下した場合（ステップＳ４７：ＹＥＳ）、この画像選択画面５１に対応する案件データを通信端末４の記憶部２２から削除し（ステップＳ４８）、案件リスト画面４１を表示部２３に表示して案件選択処理（ステップＳ３）に戻る。なお、ここでは、サーバ２における案件データの削除は行わない。
【００７６】
上記の画像選択処理（ステップＳ４）で拾いデータ測定画面６１が表示部２３に表示された後、拾いデータ測定画面６１では、基準面指定ボタン６２及び基準値指定ボタン６３が押下可能であり、即ち、基準面指定処理（ステップＳ５）と基準値指定処理（ステップＳ６）とが実行可能となる。ここでは、説明の便宜上、先ず基準面指定処理（ステップＳ５）について説明する。
【００７７】
ユーザが拾いデータ測定画面６１で基準面指定ボタン６２を押下すると、基準面指定部２９が動作して基準面指定処理（ステップＳ５）に移行する。基準面指定処理（ステップＳ５）では、図７に示されるように、拾いデータ測定画面６１に表示された作業対象画像５２上の基準面をユーザによって指定可能となる。そして、基準面指定部２９は、ユーザに指定された基準面のあおりを補正するように作業対象画像５２を補正して拾いデータ測定画面６１に表示する。
【００７８】
また、ユーザが拾いデータ測定画面６１で基準値指定ボタン６３を押下すると、基準値指定部３０が動作して基準値指定処理（ステップＳ６）に移行する。
【００７９】
基準値指定処理（ステップＳ６）では、図８に示されるように、拾いデータ測定画面６１に表示された作業対象画像５２上の縦基準範囲６７及び横基準範囲６８をユーザによって指定可能となる。ユーザが縦基準範囲６７及び横基準範囲６８を指定すると、基準値指定部３０は、縦基準範囲６７及び横基準範囲６８の基準値入力画面６９及び７０を拾いデータ測定画面６１に表示する。そして、基準値指定部３０は、ユーザによって基準値入力画面６９及び７０に入力された縦基準値及び横基準値を記憶部２２に記憶する。
【００８０】
上記のように、基準面指定処理（ステップＳ５）及び基準値指定処理（ステップＳ６）が終了すると、拾いデータ測定画面６１の測定ボタン６４が押下可能となる。
【００８１】
ユーザが拾いデータ測定画面６１で測定ボタン６４を押下すると、寸法測定部３１が動作して、図９に示されるように、拾いデータ測定画面６１に表示された作業対象画像５２に対して測定範囲７１を選択可能となる（ステップＳ７）。
【００８２】
そして、ユーザによって測定範囲７１が選択されると、寸法測定部３１は、縦基準範囲６７及び横基準範囲６８の作業対象画像５２上の寸法と縦基準値及び横基準値との比率に基づいて、測定範囲７１の寸法及び面積を含む拾いデータを測定する（ステップＳ８）。更に、寸法測定部３１は、測定した拾いデータを示す測定結果画面７２を拾いデータ測定画面６１に表示する。そして、寸法測定部３１は、ユーザによって測定結果画面７２に入力された測定範囲７１のタイトル及びメモ情報や測定範囲マークの線色を記憶部２２に記憶する。
【００８３】
次に、ユーザが拾いデータ測定画面６１で保存ボタン６５を押下すると、拾いデータ保存部３２が動作して、寸法測定部３１で測定された測定範囲７１の拾いデータを、作業対象画像５２、縦基準範囲６７及び横基準範囲６８の座標データと縦基準値及び横基準値、並びに測定範囲７１の座標データ、タイトル、メモ情報及び線色と共にサーバ２へと送信する（ステップＳ９）。
【００８４】
サーバ２では、通信端末４から測定範囲７１の拾いデータ、作業対象画像５２、縦基準範囲６７及び横基準範囲６８の座標データと縦基準値及び横基準値、並びに測定範囲７１の座標データ、タイトル、メモ情報及び線色を受信して、通信端末４の識別情報、例えば登録番号やユーザＩＤと共に記憶部１２の拾いデータ記憶部１９に記憶する（ステップＳ１０）。
【００８５】
本実施形態では上述のように、通信端末４によって、作業対象の案件の作業対象画像５２について縦基準範囲６７及び横基準範囲６８と縦基準値及び横基準値とを指定することにより、作業対象画像５２について作業部位の測定範囲７１を選択すると、作業部位の拾いデータである測定範囲７１の周長や面積等の寸法を測定することができる。また、通信端末４によって、作業対象の案件について、作業部位の拾いデータを、作業対象画像５２、縦基準範囲６７及び横基準範囲６８の座標データ、縦基準値及び横基準値、並びに測定範囲７１の座標データ、タイトル、メモ情報及び線色と共にサーバ２に送信し、サーバ２がこれらのデータを記憶することにより、サーバ２を介して拾いデータを共有することができ、また、他の通信端末４やサーバ２において、作業対象画像５２における測定範囲７１を再現することが可能となる。
【００８６】
従って、本実施形態によれば、作業者は、通信端末４を用いた簡易な手法によって、作業対象画像５２の縦基準範囲６７及び横基準範囲６８と、これらの縦基準値及び横基準値を測定すれば、作業部位の大きさや位置に拘らず、作業部位の測定範囲７１の拾いデータを測定することができ、測定ミスを防ぐこともできる。更に、測定した拾いデータを即座にサーバ２で共有化できるため、工事作業の予算及び工数の見積り、並びに建築資材の発注等の事前作業を行う会社や事業所が、作業対象の現地から遠隔にある場合でも、これらの事前作業を早期に、且つ間違いが生じることなく行うことができ、建築資材の調達を円滑化し、作業効率及び品質管理を向上することができる。
【００８７】
また、作業者は、拾いデータ処理アプリケーションを備えた通信端末４を有していれば、作業対象を表示する大量の図面や画像を作業対象画像５２として簡単に保持することができると共に、作業対象画像５２に示される測定範囲７１（作業部位）について作業の進捗状況等の共有すべき情報をメモ情報として記録したり、進捗状況に応じて測定範囲７１の線色を線色選択バー７６で変更したりすることができる。これにより、現地における進捗状況の確認を容易且つ即座に行うことができ、従って、工事作業等の作業効率及び品質管理をより向上することができる。
【００８８】
更に、作業者は、サーバ２の記憶部１２（拾いデータ記憶部１９）や通信端末４の記憶部２２に記憶された案件データや拾いデータ等の情報に基づいて、業務日報を簡単に、且つ間違いが生じることなく作成することができる。これにより、日報管理の効率が向上すると共に、作業者は事務作業の負担が軽減するために工事作業の作業効率及び品質管理を向上することができる。
【００８９】
また、本実施形態では、通信端末４は、撮像部２４で作業対象画像５２を撮像し、基準面指定部２９が、撮像部２４で撮像した作業対象画像５２について、基準面とすべき四角形の指定を受け付け、この四角形のあおりを補正するため、実際の建築物や建築現場等の作業対象と違いのある図面に依存することなく、簡易な手法によって作業部位の拾いデータを取得することが可能となる。
【００９０】
更に、本実施形態では、通信端末４は、作業部位の測定範囲の選択や拾いデータの測定を、表示部２３の有するタッチパネルの操作という簡易な手法で行うことができるため、作業対象の現地の作業者の手間を軽減することができる。
【００９１】
また、本実施形態では、通信端末４からの要求に応じて、サーバ２の拾いデータ提供部１７及び拾いデータ出力部１８が、拾いデータ記憶部１９に記憶された拾いデータを、ウェブページや表計算ファイル等によって通信端末４に提供するため、ユーザは通信端末４を用いることによってサーバ２で共有化された拾いデータを閲覧することができる。
【００９２】
本実施形態では、通信端末４の拾いデータ処理アプリケーションが、通信端末４がサーバ２にログインしてから動作する構成を説明したが、この構成に限定されない。例えば、通信端末４の拾いデータ処理アプリケーションは、サーバ２へのログインに拘らずスタンドアロンで動作してもよい。この場合、案件リスト表示部２７は、通信端末４の記憶部２２に予め記憶された案件データを読み出して案件リスト画面４１を作成して表示部２３に表示する。
【００９３】
また、本実施形態では、上記の拾いデータ処理アプリケーションを通信端末４にインストールする構成について説明したが、サーバ２に拾いデータ処理アプリケーションをインストールしてサーバ２の操作によって拾いデータを編集可能に構成してもよい。
【００９４】
本実施形態の通信端末４では、基準面指定部２９は、表示部２３に表示される拾いデータ測定画面６１の基準面マークがタッチ操作によって指定及び編集されることで基準面を構成する４点６６を指定及び編集できるように構成している。このとき、タッチ操作中の点６６を操作者が視認できるように、基準面指定部２９は、タッチ位置の近傍、例えば右上に点６６の基準面マークを表示するように構成されるとよい。または、基準面指定部２９は、タッチ位置周辺の拡大画像を、タッチ位置から離れた別ウインドウで基準面マークと共に表示するように構成されてもよい。上記したような基準面マークの視認の便宜を図る構成は、基準値指定部３０及び寸法測定部３１による基準範囲マーク及び測定範囲マークの表示についても同様に構成されるとよい。
【００９５】
更に、本実施形態では、撮像部２４で撮像した作業対象画像５２について、作業部位の拾いデータを測定する構成について説明したが、この構成に限定されない。例えば、スキャナ等で図面を読み込むことで作成された作業対象画像５２について、作業部位の拾いデータを測定することも可能である。
【００９６】
また、本実施形態では、タッチパネルを有する表示部２３を備えた通信端末４の構成を説明したが、この構成に限定されない。例えば、通信端末４は、タッチパネル以外の操作手段を備えたノートパソコン等の携帯式の通信端末で構成されてもよい。
【００９７】
本実施形態では、拾いデータ処理システム１を建築物や建築現場等の作業対象を案件とする業務に適用する場合について説明したが、他の異なる実施形態では、拾いデータ処理システム１は、家具や大型電化製品の販売業や、不動産業、引っ越し業等のように、予め作業箇所の寸法を測定することで作業の円滑化が可能となる様々な業務に本発明の構成を適用することも可能である。
【符号の説明】
【００９８】
１  拾いデータ処理システム
２  サーバ
３  ネットワーク
４  通信端末
１９  拾いデータ記憶部
２３  表示部
３０  基準値指定部
３１  寸法測定部
５２  作業対象画像
６１  拾いデータ測定画面
６７、６８  基準範囲
７１  測定範囲
【図１】
2015026226.tif 000003
【図２】
2015026226.tif 000004
【図３】
2015026226.tif 000005
【図４】
2015026226.tif 000006
【図５】
2015026226.tif 000007
【図６】
2015026226.tif 000008
【図７】
2015026226.tif 000009
【図８】
2015026226.tif 000010
【図９】
2015026226.tif 000011
【図１０】
2015026226.tif 000012
【図１１】
2015026226.tif 000013
【図１２】
2015026226.tif 000014
【図１３】
2015026226.tif 000015